(57)【要約】【課題】特に有機溶剤等を取り扱う系における鉄さびスラッジ、硫化物など酸化発熱の危険性のある物質や有機物質の重質タール類など危険性のある物質や除去が困難な物質を、簡易、かつ、安全，確実に洗浄することができるストレーナーエレメント。【解決手段】下記Ａ〜Ｃ手段を備える。  Ａ手段：ストレーナーユニットより取り外した１または複数のストレーナーエレメントを同時に保持することができ、かつ、該ストレーナーエレメントの上部を固定する上部固定部分と下部を固定する下部固定部分よりなるストレーナエレメント保持手段  Ｂ手段：高融点あるいは難溶性固形物を除去することができるスチーム供給手段  Ｃ手段：酸化発熱性物質または固着固形物を安全に除去することができる窒素ガス供給手段【選択図】図１
2008173602.tif 000002
【特許請求の範囲】
【請求項１】
流体中に存在する微小固形物を捕捉する１または複数のストレーナーエレメントを有する外部捕捉型のストレーナーユニットのエレメントを洗浄する手段であって、下記Ａ〜Ｃ手段を備えてなることを特徴とするストレーナエレメント洗浄器具。
Ａ手段：ストレーナーユニットより取り外した１または複数のストレーナーエレメントを同時に保持することができ、かつ、該ストレーナーエレメントの上部を固定する上部固定部分と下部を固定する下部固定部分よりなるストレーナエレメント保持手段
Ｂ手段：高融点あるいは難溶性固形物を除去することができるスチーム供給手段
Ｃ手段：酸化発熱性物質または固着固形物を安全に除去することができる窒素ガス供給手段
【請求項２】
前記ストレーナーエレメントの下部固定部板がエレメントの大きさに応じて上下に可動するように設計されている請求項１記載のストレーナエレメント洗浄器具。
【発明の詳細な説明】
【技術分野】
【０００１】
本発明は、流体中に存在する微小固形物を捕捉する１または複数のストレーナーエレメントを有する外部捕捉型のストレーナーユニットのエレメントを洗浄するストレーナーエレメント洗浄器具に関する。
【背景技術】
【０００２】
流体中に存在する微小固形物捕捉する手段として、ストレーナーが広く用いられているが、ストレーナーに捕捉された異物の洗浄作業を効率化するために種々の方法が提案されている。例えば、フィルターの洗浄開始時を自動化し、かつ、洗浄時にラインを停止しないようにすることを目的にして、ラインの運転を行いながら高圧洗浄水をろ過方向と逆方向にフィルターの全面にわたって噴射させて異物を除去する自動洗浄装置（特許文献１参照）、逆洗によりフィルターに付着した異物の完全除去を行い、洗浄作業の効率化を図ることを目的にして、汚水排出部とろ過の１次側とを連通するバイパスを設けて逆洗下汚水を汚水排出路へ排出できるようにしたストレーナーの逆洗システム（特許文献２参照）、自動的かつ短時間にストレーナーエレメントの付着物を除去することを目的にして、導入側圧力が設定圧に達したとき若しくは設定時間ごとに逆洗用エアー又は逆洗液を吹き込んで逆洗を行うストレーナーシステム（特許文献３参照）等がある。
【０００３】
しかし、これらは主として汚水のろ過装置等には有効であるが、有機溶剤等を高温、高圧で取り扱う化学プラントにおけるストレーナー類は、溶剤を含む鉄さびスラッジ、硫化物など酸化発熱の危険性のある物質や有機物質の重質タール類など危険性のある物質や除去が困難な物質を洗浄する場合には不適であり、より簡便な方法で安全、確実に洗浄できる手段が求められていた。
【０００４】
【特許文献１】特開２００４−２３０２９８号公報（第１頁〜第５頁）
【特許文献２】特開２００５−１９３１６１号公報（第１頁〜第３頁）
【特許文献３】特開２００６−２７２２５１号公報（第１頁〜第３頁）
【発明の開示】
【発明が解決しようとする課題】
【０００５】
かかる状況に鑑み、本発明は、流体中に存在する微小固形物を捕捉する１または複数のストレーナーエレメントを有する外部捕捉型のストレーナーユニットのエレメントを洗浄する器具であって、特に有機溶剤等を取り扱う系における鉄さびスラッジ、硫化物など酸化発熱の危険性のある物質や有機物質の重質タール類など危険性のある物質や除去が困難な物質を、簡易、かつ、安全，確実に洗浄することができるストレーナエレメントの洗浄器具を提供することを目的とする。
【課題を解決するための手段】
【０００６】
本発明は、
（１）流体中に存在する微小固形物を捕捉する１または複数のストレーナーエレメントを有する外部捕捉型のストレーナーユニットのエレメントを洗浄する手段であって、下記Ａ〜Ｃ手段を備えてなることを特徴とするストレーナエレメント洗浄器具、
Ａ手段：ストレーナーユニットより取り外した１または複数のストレーナーエレメントを同時に保持することができ、かつ、該ストレーナーエレメントの上部を固定する上部固定部分と下部を固定する下部固定部分よりなるストレーナエレメント保持手段
Ｂ手段：高融点あるいは難溶性固形物を除去することができるスチーム供給手段
Ｃ手段：酸化発熱性物質または固着固形物を安全に除去することができる窒素ガス供給手段
（２）前記ストレーナーエレメントの下部固定部分がエレメントの大きさに応じて上下に可動であるように設計されている（１）のストレーナエレメント洗浄器具、
に係るものである。
【発明の効果】
【０００７】
本発明により、流体中に存在する微小固形物を捕捉する１または複数のストレーナーエレメントを有する外部捕捉型のストレーナーユニットのエレメントを洗浄する器具であって、特に有機溶剤等を取り扱う系における鉄さびスラッジ、硫化物など酸化発熱の危険性のある物質や有機物質の重質タール類など危険性のある物質や除去が困難な物質を、簡易、かつ、安全，確実に洗浄することができるストレーナエレメントの洗浄器具を提供することが可能になった。
【発明を実施するための最良の形態】
【０００８】
本発明において、１または複数のストレーナーエレメントを有する外部捕捉型のストレーナーユニットのエレメントとは、流体がストレーナーの外部から内部方向に流れ、微小固形物等はエレメントの外部に捕捉されるものである。エレメントは１でもいいが、捕捉容量を大にするために複数をまとめてユニットとして設ける場合が多い。エレメントの形状は、両端に開口部を持つ円筒型であり、メッシュ状、ファイバー状、焼結型等の構造を有している。材質は、金属、セラミック、樹脂、繊維等約１００℃以上で耐久性のあるものが選ばれる。
【０００９】
本発明のストレーナーエレメントの洗浄器具で取り扱う洗浄対象の微小固形物は、材質によって異なるがガス以外の流体であって、例えば、ベンゼン、キシレン、トルエン等石油化学製品全般や純水、酸・アルカリ含有水等が対象となる。特に有機溶剤等の流体を取り扱う系における鉄さびスラッジ、硫化物など酸化発熱の危険性のある物質や有機物質の重質タール類など危険性のある物質や除去が困難な物質の除去・洗浄に効果がある。
【００１０】
本発明によるストレーナーエレメントの洗浄器具は、その構成例を示す概略図（図１）に示すように、Ａ手段として、ストレーナーユニットより取り外した１または複数のストレーナーエレメントを同時に保持することができ、かつ、該ストレーナーエレメントの上部を固定する上部固定部分４と下部を固定する下部固定部分５よりなるストレーナエレメント保持手段を備えている。
【００１１】
上部固定部分４は、ヘッダー３から分岐してスチーム供給量および窒素供給量を調節するためのバルブを介して、ストレーナーエレメントを固定するように設けてある。具体的には例えば、ストレーナーエレメントの直径に合わせてゴム栓を取り付けて固定できるようにしても良い。
【００１２】
下部固定部分５は、エレメントの装着を容易にしたり、異なる長さのエレメントをすることができるように上下に動かすことができるようになっている。具体的には例えば、下部固定部分を下部固定部上下可動用ネジ８で任意に高さを変えながら調整する。
【００１３】
Ｂ手段として、高融点あるいは難溶性固形物を除去することができるスチームを供給するスチーム手段１、また、Ｃ手段として酸化発熱性物質または固着固形物を安全に除去することができる窒素ガス供給手段２を備えている。これらの手段は各エレメントの固定部分が分岐しているヘッダー３にそれぞれバルブを介して結合されている。スチームの圧力は１００〜１０００ｋＰａＧ、スチームの温度は１００〜２００℃。窒素ガスの圧力は１００〜３５０ｋＰａＧ程度であればよい。
【００１４】
以下、本発明のストレーナーエレメント洗浄器具を用いて、ストレーナエレメント６を洗浄する手順の例を本発明のストレーナーエレメントの洗浄器具の構成例を示す概略図（図１）に基づいて説明する。
【００１５】
まず、プロセス中の流体中に存在する微小固形物、あるいは高融点あるいは難溶性固形物、あるいは酸化発熱性物質または固着固形物を外部捕捉したストレーナーエレメント６をストレーナーユニットから取り外す。
【００１６】
次いで、取り外した１または複数のストレーナーエレメント６をストレーナーエレメント洗浄器具に固定する。固定は仮固定と本固定の２段階で行う。仮固定は、ストレーナーエレメント洗浄器具の上部固定部分４と下部固定部分５に設けられた短いノズル部にストレーナーエレメント６の上下開口部を挿入する方法で行う。本固定は、高さ調整が可能な下部固定部５を上下させ、ストレーナーエレメント６の長さに合わせて固定する。この時、上部と下部の隙間から必要以上のスチームや窒素ガスが吹き抜けないようしっかり固定する。
【００１７】
次に、ヘッダー３上流のスチーム供給手段１と窒素ガス供給手段２の各ノズルにスチームと窒素ガスの注入ホースを接続する。このとき、各バルブは閉止としておく。次いで、ヘッダー３下流のストレーナーエレメント６を装着した部位のバルブを開とし、その他は閉とする。
【００１８】
次にヘッダー３上流のスチーム供給手段１のバルブを開としスチーミングを開始する。スチームの注入量は大きく２つの方法で行う。複数接続したストレーナーエレメント６全体を均一に調整する場合はヘッダー３上流のスチーム供給手段１バルブの開度を調節して行う。ストレーナーエレメント６を各々単独で調整する場合は、ヘッダー３から分岐した下流の各々のバルブ開度を調節する。
【００１９】
次に、窒素ガスブローを行うが、スチーミング終了後、ストレーナーエレメントを乾燥するために行うブローと、洗浄効率の向上を目的にスチーミングと並行しておこなうブローがある。乾燥目的の場合は、ヘッダー３上流のスチーム供給手段１バルブを閉止後、ヘッダー３上流の窒素ガス供給手段２バルブを開として行う。スチーミングと並行して行う場合はスチーミングを継続したままヘッダー３上流の窒素ガス供給手段２のバルブを開として行う。
【００２０】
窒素ガス量の調整はスチームと同様に２つの方法で行う。複数接続したストレーナーエレメント６全体を均一に調整する場合はヘッダー３上流の窒素ガス供給手段２バルブの開度で行う。ストレーナーエレメント６を各々単独で調整する場合は、ヘッダー３下流の各々のバルブ開度で行う。
【００２１】
洗浄の終了は、ヘッダー３上流のスチーム供給手段１のバルブおよびヘッダー３上流の窒素ガス供給手段２のバルブを閉じる。次いで、ストレーナーエレメント洗浄器具の下部固定部分５を上下に動かし、ストレーナーエレメント３の固定部分を解除し取り外し、ストレーナーエレメントをストレーナユニットに戻す
【００２２】
尚、カマチ７は、ストレーナーエレメント洗浄器具全体が収まるようにコンクリートで作られており、洗浄により除去されたスラッジ等の汚染物が飛散しないようになっている。
【実施例】
【００２３】
以下、本発明を実施例に基づいて具体的に説明するが、もとより本発明はこの実施例に限定されるものではない。
実施例１
ベンゼンとプロピレンを反応させて生成したジイソプロピルベンゼン等の炭化水素を主成分とする約２２０℃、約８００ｋＰａの蒸留塔塔底液をポンプで約１５Ｔ／Ｈの流量で次工程に送液しているプロセスの配管途中に外部捕捉型の６本の長さ約５００ｍｍ、直径約６０ｍｍのストレーナエレメントで構成されている。カートリッジを設置した。ストレーナエレメントの洗浄時期の判断は、流体中に存在する微小固形物、あるいは高融点あるいは難溶性固形物、あるいは酸化発熱性物質または固着固形物を捕捉し、捕捉により圧損が上昇し、同一ポンプで下流に送液すべき所定流量が維持できない流量としている。
捕捉量が上限に達し、所定流量を送液できなくなったので、ストレーナエレメントユニットをバイパスに切替え、６本のストレーナエレメントを取り外してストレーナーエレメント洗浄器具に固定し、スチーム、および窒素ガスで内部から外側にブローし、捕捉物を除去・洗浄した。洗浄後、窒素ガスで十分に乾燥させ、再びユニットに戻し再使用することができた。
従来、ブラシ等を用いてストレーナーエレメントの洗浄を行っていたが、高融点あるいは難溶性固形物の除去は困難であったが、本発明のストレーナーエチレン洗浄器具を用い、スチームを約１００℃から１８０℃の温度で使用したことにより、固形不純物以外の高融点あるいは難溶性固形物も除去でき、窒素ガスをスチームと併用し洗浄効果を高めながら使用したことにより、酸素雰囲気下は酸化発熱の危険がある物質も安全に除去することができた。
【００２４】
実施例２
温度約５０℃、圧力約１３５０ｋＰａ、流量は約１５０Ｔ／Ｈで、主にスルフォランとベンゼン等の炭化水素、および水の３成分から構成されている混合液をポンプで圧送しながら循環使用しているベンゼン、トルエン、キシレン製造プラントの抽出工程において、この循環ラインに長さ約９００ｍｍ、直径約６０ｍｍのカートリッジ６本で構成されるストレーナエレメントユニットを設置した。捕捉量の上限は、このストレーナーユニットの上下流の圧力差で管理し、圧力差が所定の管理値を超えた場合にストレーナエレメントユニットをバイパスに切替え、６本のストレーナエレメントを取り外して洗浄するように管理されている。圧力差が所定の管理値を超えたので、実施例１と同様にしてストレーナーエレメントを洗浄した。実施例１と同様に、固形不純物以外の高融点あるいは難溶性固形物や酸素雰囲気下は酸化発熱の危険がある物質も安全に除去することができた。
【図面の簡単な説明】
【００２５】
【図１】ストレーナーエレメントの洗浄器具の構成例を示す概略図である。
【符号の説明】
【００２６】
１…スチーム供給手段、２…窒素ガス供給手段、３…ヘッダー、４…ストレーナーエレメントの上部固定部、５…カマチ、６・・・ストレーナエレメント下部固定部、７…下部固定板、８…高さ調整ネジ、９…ストレーナエレメント、１０・・・上下可
動用ガイド棒
【図１】
2008173602.tif 000003